【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
シートが積載されるシート積載手段と、
前記シート積載手段にシートを搬送するシート搬送手段と、
前記シート搬送手段により前記シート積載手段に搬送されたシートのシート搬送方向の一端と当接してシートのシート搬送方向の位置を規制する規制手段と、
シート搬送方向と直交する幅方向に移動して前記シート積載手段に搬送されたシートを挟んで整合する一対の整合部材を有する整合手段と、
前記規制手段から離れる方向に移動する手段と、
前記規制手段及び前記整合手段により整合され、第１綴じ位置に位置したシートの束の規制手段側の端部を綴じる第１綴じ手段と、
前記整合手段により整合されたシートの束の規制手段側の一方の角部を受入れる受入れ部を有し、前記第１綴じ位置よりも前記規制手段から離れる方向の下流側で、かつ幅方向において前記第１綴じ位置の外側の第２綴じ位置に位置したシートの束の、前記受入れ部に受入れられた一方の角部を綴じる第２綴じ手段と、を備え、
前記第２綴じ手段を、前記受入れ部が前記規制手段から離れる方向に対して斜めに開口するよう配置し、前記第２綴じ手段によりシートの束に綴じ処理を施す際には、シートの規制手段側の端部が斜めに開口する前記受入れ部における前記規制手段から離れる方向の上流端よりも前記規制手段から離れる方向の下流となる位置まで、前記移動する手段を移動させた後、前記整合手段によりシートを前記受入れ部に向けて移動させることを特徴とするシート処理装置。
【請求項２】
前記整合手段は、前記第１綴じ手段による綴じ処理の際には、前記一対の整合部材によりシートの束を前記第１綴じ位置で整合し、前記第２綴じ手段による綴じ処理の際には、シートの束を整合した後、前記一対の整合部材を幅方向に移動させ、シートの束を前記第２綴じ手段による綴じ処理を行う前記第２綴じ位置に移動させることを特徴とする請求項１記載のシート処理装置。
【請求項３】
前記移動する手段は、前記規制手段及び前記整合手段により整合されたシートの束を、前記規制手段から離れるシート束搬送方向に搬送するシート束搬送手段である、
ことを特徴とする請求項１又は２記載のシート処理装置。
【請求項４】
前記整合手段は、前記第２綴じ手段により綴じ処理を施す際、シートの束を前記第１綴じ位置で整合し、前記シート束搬送手段がシートの束をシート束搬送方向において前記第２綴じ位置に対応する位置に移動した後、シートの束を前記第２綴じ位置に移動させることを特徴とする請求項３記載のシート処理装置。
【請求項５】
前記第２綴じ手段により綴じ処理を施す際、前記移動する手段を前記規制手段から離れる方向において前記第２綴じ位置に対応する位置に前記移動する手段を移動させた後、前記シート搬送手段により前記シート積載手段に搬送されたシートを前記整合手段により前記第２綴じ位置に移動させて、シートの束を前記第２綴じ位置で整合することを特徴とする請求項１記載のシート処理装置。
【請求項６】
シートが積載されるシート積載手段を備え、前記シート積載手段に積載されたシートの束を綴じて、綴じられたシートの束をシート束搬送方向に送るシート処理装置であって、
前記シート積載手段に搬送されたシートの前記シート束搬送方向における上流側の端部と当接してシートの前記シート束搬送方向における位置を規制する規制手段と、
前記シート束搬送方向に直交する幅方向に移動して前記シート積載手段に搬送されたシートを挟んで整合する一対の整合部材を有する整合手段と、
前記規制手段及び前記整合手段により整合され、第１綴じ位置に位置したシートの束の前記シート束搬送方向における上流側の端部を綴じる第１綴じ手段と、
前記シート積載手段に積載されたシートの束の前記シート束搬送方向における上流側の端部の一方の角部を受入れる受入れ部を有し、前記第１綴じ位置よりも前記シート束搬送方向における下流側かつ前記幅方向において前記第１綴じ位置よりも外側の第２綴じ位置に位置したシートの束の、前記受入れ部に受入れられた角部を綴じる第２綴じ手段と、を備え、
前記第２綴じ手段は、前記受入れ部が前記シート束搬送方向に対して斜めに開口するよう配置され、
前記第２綴じ手段がシートの束を綴じる場合に、前記シート束搬送方向におけるシートの上流側の端部が前記シート束搬送方向における前記受入れ部の上流端よりも前記シート束搬送方向における下流側となる位置から、前記受入れ部によって受け入れられるように前記整合手段によってシートを前記幅方向に移動させることを特徴とするシート処理装置。
【請求項７】
シートを前記第２綴じ位置に移動させる際、前記一対の整合部材のうちの第２綴じ手段側の整合部材を前記第２綴じ位置の基準位置に移動させた後、他の整合部材を前記第２綴じ手段側の整合部材に向かって移動させることを特徴とする請求項１乃至６の何れか１項に記載のシート処理装置。
【請求項８】
前記移動する手段の前記規制手段から離れる方向の位置を検知する検知手段を備え、
前記検知手段からの信号に基づき前記移動する手段の移動量を制御することを特徴とする請求項１乃至５の何れか１項に記載のシート処理装置。
【請求項９】
前記第１綴じ手段は、針を用いてシートの束を綴じ、前記第２綴じ手段は、針を用いずにシートの束を綴じることを特徴とする請求項１乃至８の何れか１項に記載のシート処理装置。
【請求項１０】
前記第２綴じ手段の受入れ部は、少なくとも一方が他方に向かって揺動する一対の支持部材にそれぞれ設けられた凹凸部の間に形成され、凹凸部の間にシートの束を挟持して加圧することによりシートの束に綴じ処理を施すことを特徴とする請求項９に記載のシート処理装置。
【請求項１１】
画像形成部と、前記画像形成部により画像が形成されたシートを綴じ処理する請求項１乃至１０のいずれか１項に記載のシート処理装置と、を備えたことを特徴とする画像形成装置。
【手続補正２】
【補正対象書類名】明細書
【補正対象項目名】００１０
【補正方法】変更
【補正の内容】
【００１０】
本発明は、シート処理装置において、シートが積載されるシート積載手段と、前記シート積載手段にシートを搬送するシート搬送手段と、前記シート搬送手段により前記シート積載手段に搬送されたシートのシート搬送方向の一端と当接してシートのシート搬送方向の位置を規制する規制手段と、シート搬送方向と直交する幅方向に移動して前記シート積載手段に搬送されたシートを挟んで整合する一対の整合部材を有する整合手段と、前記規制手段から離れる方向に移動する手段と、前記規制手段及び前記整合手段により整合され、第１綴じ位置に位置したシートの束の規制手段側の端部を綴じる第１綴じ手段と、前記整合手段により整合されたシートの束の規制手段側の一方の角部を受入れる受入れ部を有し、前記第１綴じ位置よりも前記規制手段から離れる方向の下流側で、かつ幅方向において前記第１綴じ位置の外側の第２綴じ位置に位置したシートの束の、前記受入れ部に受入れられた一方の角部を綴じる第２綴じ手段と、を備え、前記第２綴じ手段を、前記受入れ部が前記規制手段から離れる方向に対して斜めに開口するよう配置し、前記第２綴じ手段によりシートの束に綴じ処理を施す際には、シートの規制手段側の端部が斜めに開口する前記受入れ部における前記規制手段から離れる方向の上流端よりも前記規制手段から離れる方向の下流となる位置まで、前記移動する手段を移動させた後、前記整合手段によりシートを前記受入れ部に向けて移動させることを特徴とするものである。
【手続補正３】
【補正対象書類名】明細書
【補正対象項目名】００１１
【補正方法】変更
【補正の内容】
【００１１】
本発明のように、第２綴じ手段により斜め綴じ処理を施す際には、シートを、規制手段側の端部が第２綴じ手段の受入れ部における規制手段から離れる方向の上流端よりも下流となる位置まで移動させることにより、シート束に対して斜めの針無し綴じを適切に行うことができる。
【手続補正４】
【補正対象書類名】明細書
【補正対象項目名】００１５
【補正方法】変更
【補正の内容】
【００１５】
また、画像形成部９００Ｂは、矢印方向に回転駆動される中間転写ベルト９０２、順次中間転写ベルト９０２に形成されたフルカラー画像をシートＰに転写する２次転写部９０３等を備えている。そして、この中間転写ベルト９０２に転写帯電器９０２ａ〜９０２ｄによって転写バイアスを印加することにより、感光体ドラムａ〜ｄ上の各色トナー像が順次中間転写ベルト９０２に多重転写される。これにより、中間転写ベルト９０２上にはフルカラー画像が形成される。
【手続補正５】
【補正対象書類名】明細書
【補正対象項目名】００５４
【補正方法】変更
【補正の内容】
【００５４】
次に、このようにシートＰを後端ストッパ１０８に突き当てた後、フィニッシャ制御部２２０は整合モータＭ２５３を駆動して前及び奥整合板１０９ａ，１０９ｂを幅方向に移動させ、シートＰの幅方向の位置を整合する。この一連の動作を綴じ処理する所定枚数のシートに対して繰り返し行うことで、図１０の（ａ）に示すように、中間処理トレイ１０７上で整合されたシート束ＰＡが形成される。
【手続補正６】
【補正対象書類名】明細書
【補正対象項目名】００６７
【補正方法】変更
【補正の内容】
【００６７】
次に、フィニッシャ制御部２２０は、針無し綴じユニット１０側（第２綴じ手段側）の一方の整合部材である奥整合板１０９ｂを図４の（ａ）に示す矢印Ｉ方向に移動させる。そして、奥整合板１０９ｂを針無し綴じユニット１０による針無し綴じを行う際の幅方向の整合位置（第２綴じ位置の基準位置）まで移動させ、この後、奥整合板１０９ｂを停止させる。次に、図１２に示すように他方の整合部材である前整合板１０９ａを矢印Ｉ方向に移動させ、シート束ＰＡを停止している奥整合板１０９ｂに当接させる。これにより、シート束ＰＡを、ステイプルユニット１１０による幅方向の第１の整合位置から、針無し綴じにおける幅方向の第２の整合位置（以下、針無し綴じ幅方向整合位置という）まで移動させることができる。
【手続補正７】
【補正対象書類名】明細書
【補正対象項目名】００７７
【補正方法】変更
【補正の内容】
【００７７】
そして、プリントが開始されたと判断すると（Ｓ９０１のＹ）、フィニッシャ制御部２２０は、既述した図４の（ａ）に示す位置にある後端アシスト１１２を図４の（ｂ）に示すシート束搬送方向整合位置まで移動させる（Ｓ９０２）。この後、プリントが終了したシートを中間処理トレイ１０７へ排出する。シートの中間処理トレイ１０７への排出が完了すると（Ｓ９０３のＹ）、前及び奥整合板１０９ａ，１０９ｂによる幅方向のシートの整合処理（幅整合処理）を行う（Ｓ９０４）。即ち、前整合板１０９ａによってシート束を奥整合板１０９ｂの方向に移動させ、前及び奥整合板１０９ａ，１０９ｂによる幅方向のシートの整合処理を行う。